(57)【特許請求の範囲】
【請求項１】
原稿を移送するための原稿移送経路と、
前記原稿移送経路に設置される画像読み取り部と、
前記画像読み取り部によって読み取られるイメージを表示し、使用者の入力命令を取得するためのディスプレイ部と、
前記原稿を前記画像読み取り部に移送させ、前記画像読み取り部によって読み取られる両面イメージを前記ディスプレイ部に表示し、前記ディスプレイ部を通して使用者により選択された読み取りイメージに対してイメージ処理動作を制御する制御部と、を有し、
前記ディスプレイ部は、両面キー、前面キー、及び後面キーを備え、
制御部は、前記ディスプレイ部の前記両面キー、前記前面キー、及び前記後面キーのいずれが押下されたかを検知して、前記両面イメージ、前面イメージ及び後面イメージのいずれかを選択し、処理を進めることを特徴とする画像形成装置。
【請求項２】
前記画像読み取り部は、前記原稿移送経路上に設置される少なくとも一つのイメージセンサーを用いて前記原稿の両面イメージを読み取ることを特徴とする、請求項１に記載の画像形成装置。
【請求項３】
前記画像読み取り部が複数のイメージセンサーを備える場合、前記複数のイメージセンサーは、一定の距離だけ離隔して設置されることを特徴とする、請求項２に記載の画像形成装置。
【請求項４】
前記ディスプレイ部は、読み取りイメージを表示するためのタッチスクリーンを含むことを特徴とする、請求項１ないし３のいずれかに記載の画像形成装置。
【請求項５】
前記タッチスクリーンには、
前記原稿のイメージを複数個表示するための表示領域と、
前記複数の原稿のイメージから処理対象となるイメージを選択するための選択キーと、
が表示されることを特徴とする、請求項４に記載の画像形成装置。
【請求項６】
前記制御部のイメージ処理動作は、前記選択された読み取りイメージを保存、送信及び複写する動作のうち何れか一つを行うことを特徴とする、請求項１ないし５のいずれかに記載の画像形成装置。
【請求項７】
原稿のイメージを読み取るための画像読み取り部を備えた画像形成装置の制御方法において、
原稿積載テーブルに原稿が積載されると、
前記画像読み取り部を用いて原稿移送経路に沿って移送される原稿のイメージを読み取り、
前記読み取られた原稿の両面イメージを画面に表示し、
前記画面上に表示される原稿のイメージのうち使用者によって選択された原稿の前記両面イメージ、前面イメージ及び後面イメージのいずれかを選択し、イメージに対するイメージ処理動作を行うように制御することを特徴とする、画像形成装置の制御方法。
【請求項８】
前記読み取られた原稿のイメージは、前記原稿移送経路に設置される少なくとも一つのイメージセンサーによって得られる原稿の両面イメージであることを特徴とする、請求項７に記載の画像形成装置の制御方法。
【請求項９】
原稿移送経路に設置される少なくとも一つのイメージセンサーを備える画像形成装置の制御方法において、
前記イメージセンサーを用いて原稿のイメージを読み取り、
前記読み取られたイメージのうち処理対象となるイメージを選択するための第１読み取りモードと、前記読み取られる原稿のイメージを選択して前記原稿のイメージを読み取るための第２読み取りモードのうち何れか一つを選択し、
前記第１読み取りモードでは、原稿積載テーブルに原稿を積載するだけで、前記イメージセンサーを用いて原稿の両面イメージを自動的に読み取り、使用者が操作パネル部を通して両面か、前面か、後面かを選択できるように、前記両面イメージを表示し、
前記第２読み取りモードでは、使用者が、両面キー、前面キー、後面キーのいずれかで、表示された前記両面イメージの両面又は片面のいずれかを選択することを特徴とする、画像形成装置の制御方法。
【請求項１０】
前記第１読み取りモードは、
原稿積載テーブルに原稿が積載されたかどうかを判断し、
原稿が積載されると、前記少なくとも一つのイメージセンサーに原稿を移送し、
前記少なくとも一つのイメージセンサーによって原稿の前面イメージ及び後面イメージを読み取り、
前記原稿の前面イメージ及び後面イメージをディスプレイ部の画面に表示して、
前記ディスプレイ部のイメージ選択用キーを用いて前面イメージ及び後面イメージのうち少なくとも一つが選択されるように制御することを特徴とする、請求項９に記載の画像形成装置の制御方法。
【請求項１１】
原稿の両面イメージを自動的に読み取るためのイメージ読み取り部と、
前記イメージ読み取り部によって読み取られた前記イメージを取得し、使用者が前記イメージのうち少なくとも一つを選択できるようにするための使用者インターフェースと、
前記使用者によって選択された前記イメージに対応する前記原稿に処理を行うための制御部と、を有し、
前記使用者インターフェースは、両面キー、前面キー、及び後面キーを備え、
制御部は、前記使用者インターフェースの前記両面キー、前記前面キー、及び前記後面キーのいずれが押下されたかを検知して、前記両面イメージ、前面イメージ及び後面イメージのいずれかを選択し、処理を進めることを特徴とする、画像形成装置。
【請求項１２】
前記使用者インターフェースは、タッチスクリーンを含むことを特徴とする、請求項１１に記載の画像形成装置。
【発明の詳細な説明】
【技術分野】
【０００１】
本発明は、原稿移送経路上に設置されたセンサーを用いて原稿のイメージを読み取るた
めの機能を備えた画像形成装置及びその制御方法に関するものである。
【背景技術】
【０００２】
一般的に、複写機、プリンター、ファクシミリなどの画像形成装置は、原稿に記録されたデータを読み取るための読み取り機能を有している。既存のフラットベッド読み取り方式を採用した読み取り装置は、原稿が置かれるフラットベッド（ｆｌａｔ  ｂｅｄ）と、フラットベッドの下側に配置され、原稿の一面を読み取るためのＣＣＤ（Ｃｈａｒｇｅ  Ｃｏｕｐｌｅｄ  Ｄｅｖｉｃｅ）とを含んで構成される。
【０００３】
原稿の両面を読み取る方式としては、原稿の移送方向を変えながら一つのイメージセンサーを用いて一面のイメージを読み取ってから他の面のイメージを読み取る方式と、原稿の移送経路上に設けられる複数のイメージセンサーを用いて移送経路に沿って移送される原稿の前面と後面（背面）のイメージをそれぞれ読み取る方式とがある。
【発明の開示】
【発明が解決しようとする課題】
【０００４】
上記のように両面読み取り機能を備えた画像形成装置において、使用者は、原稿積載テーブルに積載される原稿を確認し、原稿の両面、前面又は後面のうち何れを読み取るかを選択した後、読み取り動作を実行している。したがって、原稿量が多く、原稿が分類されていない場合、使用者が原稿一枚ごとに両面読み取りモード、前面読み取りモード、後面読み取りモードのうち何れに設定するかを判断する必要がある。そのため、使用上の不便さが伴う。こうした不便さを考慮すると、読み取りモードに応じて使用者が原稿を分類した後で、一括的に原稿を読み取る方式を採用せざるをえない。ところが、読み取りモードに合せて原稿を分類するという大変面倒な作業が必要となり、この方式にも大きな不便さが伴う。
【０００５】
そこで、本発明は、上記問題に鑑みてなされたものであって、本発明の目的とするとこ
ろは、原稿のイメージを読み取って処理する動作を簡便にすることで、使用上の利便性を
向上させることが可能な、新規かつ改良された画像形成装置及びその制御方法を提供する
ことにある。
【課題を解決するための手段】
【０００６】
上記課題を解決するために、本発明のある観点によれば、原稿を移送するための原稿移送経路と、前記原稿移送経路に設置される画像読み取り部と、前記画像読み取り部によって読み取られるイメージを表示し、使用者の入力命令を受信するためのディスプレイ部と、前記原稿を前記画像読み取り部に移送させ、前記画像読み取り部によって読み取られるイメージを前記ディスプレイ部に表示し、前記ディスプレイ部を通して使用者の選択による読み取りイメージに対するイメージ処理動作を制御する制御部とを有し、前記ディスプレイ部は、両面キー、前面キー、及び後面キーを備え、制御部は、前記ディスプレイ部の前記両面キー、前記前面キー、及び前記後面キーのいずれが押下されたかを検知して、前記両面イメージ、前面イメージ及び後面イメージのいずれかを選択し、処理を進めることを特徴とする画像形成装置が提供される。
【０００７】
また、前記画像読み取り部は、前記原稿移送経路上に設置される少なくとも一つのイメージセンサーを用いて前記原稿の両面イメージを読み取る。さらに、前記画像読み取り部が複数のイメージセンサーを備える場合、前記複数のイメージセンサーは、一定の距離だけ離隔して設置される。そして、前記ディスプレイ部は、読み取りイメージを表示するためのタッチスクリーンを含む。この場合、前記タッチスクリーンには、前記原稿のイメージを複数個表示するための表示領域と、前記複数の原稿のイメージから処理対象となるイメージを選択するための選択キーとが表示される。前記制御部のイメージ処理動作は、前記選択された読み取りイメージを保存、送信及び複写する動作のうち何れか一つを行う。
【０００８】
また、上記課題を解決するために、本発明の別の観点によれば、原稿のイメージを読み取るための画像読み取り部を備えた画像形成装置の制御方法が提供される。当該制御方法は、原稿積載テーブルに原稿を積載し、前記画像読み取り部を用いて原稿移送経路に沿って移送される原稿のイメージを読み取り、前記読み取られた原稿の両面イメージを画面に表示し、前記画面上に表示される原稿のイメージのうち使用者によって選択された原稿の前記両面イメージ、前面イメージ及び後面イメージのいずれかを選択し、イメージに対するイメージ処理動作を行う。また、前記読み取られた原稿のイメージは、前記原稿移送経路に設置される少なくとも一つのイメージセンサーによって得られる原稿の両面イメージである。
【０００９】
また、上記課題を解決するために、本発明の別の観点によれば、原稿移送経路に設置される少なくとも一つのイメージセンサーを備える画像形成装置の制御方法が提供される。当該制御方法は、前記イメージセンサーを用いて原稿のイメージを読み取り、前記読み取られたイメージのうち処理対象となるイメージを選択するための第１読み取りモードと、前記読み取られる原稿のイメージを選択し、前記原稿のイメージを読み取るための第２読み取りモードのうち何れか一つを選択し、前記第１読み取りモードでは、原稿積載テーブルに原稿を積載するだけで、前記イメージセンサーを用いて原稿の両面イメージを自動的に読み取り、使用者が操作パネル部を通して両面か、前面か、後面かを選択できるように、前記両面イメージを表示し、前記第２読み取りモードでは、使用者が、両面キー、前面キー、後面キーのいずれかで、表示された前記両面イメージの両面又は片面のいずれかを選択することを特徴とする。
【００１０】
また、前記第１読み取りモードは、原稿積載テーブルに原稿が積載されたかどうかを判断し、原稿が積載されると、前記少なくとも一つのイメージセンサーに原稿を移送し、前記少なくとも一つのイメージセンサーによって原稿の前面イメージ及び後面イメージを読み取り、前記原稿の前面イメージ及び後面イメージをディスプレイ部の画面に表示し、前記ディスプレイ部のイメージ選択用キーを用いて前面イメージ及び後面イメージのうち少なくとも一つを選択する。
【００１１】
また、上記課題を解決するために、本発明の別の観点によれば、原稿の両面イメージを自動的に読み取るためのイメージ読み取り部と、前記イメージ読み取り部によって読み取られた前記イメージを受信し、使用者が前記イメージのうち少なくとも一つを選択できるようにするための使用者インターフェースと、前記使用者によって選択された前記イメージに対応する前記原稿に機能を行うための制御部と、を有し、前記使用者インターフェースは、両面キー、前面キー、及び後面キーを備え、制御部は、前記使用者インターフェースの前記両面キー、前記前面キー、及び前記後面キーのいずれが押下されたかを検知して、前記両面イメージ、前面イメージ及び後面イメージのいずれかを選択し、処理を進めることを特徴とする画像形成装置が提供される。
【発明の効果】
【００１４】
以上説明したように本発明によれば、移送経路上に設置したイメージセンサーを用いて原稿の両面イメージを読み取って画面に表示することで、使用者が所望のイメージを選択しつつ後続の処理を行えるようになる。そのため、読取モードに合わせて原稿を分類する作業を排除することができるようになる。したがって、原稿のイメージを読み取り、読み取ったイメージを処理する動作に関連する使用上の利便性を向上させることができる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
以下、本発明の一実施形態に係る画像形成装置及びその制御方法を説明する。
【００１７】
本発明の一実施形態に係る画像形成装置に適用される画像読み取り装置は、図１に示すように、両面読み取り機能を具現するために、原稿移送経路１上に設置された複数のイメージセンサー３１，３２を備えている。但し、画像読み取り装置は、複数のイメージセンサー３１，３２を備えたものに限定されず、イメージセンサー３１，３２のうち一つを用いて両面イメージを読み取る方式を適用することもできる。
【００１８】
イメージセンサー３１，３２は、ＣＣＤ（Ｃｈａｒｇｅ  Ｃｏｕｐｌｅｄ  Ｄｅｖｉｃｅ）又はＣＩＳ（Ｃｏｎｔａｃｔ  Ｉｍａｇｅ  Ｓｅｎｓｏｒ）などのように、イメージを読み取り、このイメージを保存可能なデータに変換するための装置である。
【００１９】
本実施形態では、複数のイメージセンサー３１，３２が原稿移送経路１上に所定距離だけ離隔して設置される場合を例に挙げたが、これに限定されることなく、複数のイメージセンサーが原稿移送経路１に対して互いに対向して設置されることもある。
【００２０】
原稿Ｐは、原稿積載テーブル１０に置かれ、原稿積載検出部１１は、原稿Ｐの積載可否を検出する。
【００２１】
原稿Ｐが積載されると、ピックアップローラー（図示せず）によって原稿Ｐが第１移送ローラー２０に移送される。第１移送ローラー２０に進入した原稿Ｐは、第１移送ローラー２０の回転によって原稿移送経路１に沿って移送される。
【００２２】
第１イメージセンサー３１は、原稿移送経路１に沿って移送される原稿Ｐの上部で前面イメージを読み取る。一方、第２イメージセンサー３２は、原稿移送経路１に沿って移送される原稿Ｐの下部で後面イメージを読み取る。第１及び第２イメージセンサー３１，３２のイメージ読み取り動作は、同時に行うことができる。
【００２３】
第２イメージセンサー３２を通過した原稿Ｐは、移送経路１に沿って第２移送ローラー４０に移送された後、用紙カセット（図示せず）に排出される。用紙の排出可否は、用紙検出センサー５０によって検出される。
【００２４】
本発明の一実施形態に係る画像形成装置は、図２に示すように、第１及び第２イメージセンサー３１，３２を用いて原稿の両面イメージを読み取るための画像読み取り部３０を含む。
【００２５】
本実施形態に係る画像形成装置は、原稿のイメージを読み取るための画像読み取り部３０の他にも、ＰＣインターフェース部８０、プリンター部１００及びファクシミリ部１１０を含む。
【００２６】
操作パネル部６０は、使用者のタッチによって入力命令を受信し、所定のデータ及び読み取りイメージをディスプレイするためのタッチスクリーンによって具現される。ここで、操作パネル部６０は、使用者が入力命令を入力するための機能キー及び装置の全般的な動作状態を表示する表示素子である液晶ディスプレイ（ＬＣＤ）等を通して具現される。また、操作パネル部６０は、画像形成装置に備わるか、画像形成装置とインターフェースされる、ＰＣ又はサーバー、コントロール装置（外部設置型コントロール装置又は画像形成装置をコントロールするための外部設置機器）、放送受信装置（ＤＭＢ（Digital Multimedia Broadcasting）又は空中波放送受信機などのように画像形成装置に連結される機器）、イメージ撮影装置（デジタルカメラ）などに含まれるディスプレイ部である。
【００２７】
メモリ部７０は、画像形成装置の動作を行うために必要な各種のプログラム及び関連データを保存するもので、第１メモリ７１及び第２メモリ７２を備えている。第１メモリ７１は、画像形成装置の各機能を具現するために必要な各種のプログラムを保存している。第１メモリ７１としては、例えば、ＲＯＭ（Read Only Memory）などの非活性メモリ素子が適用される。第２メモリ７２は、画像形成装置の動作中に発生する多様なデータ及びデータに対する情報を一時的に保存する。第２メモリ７２としては、例えば、ＤＲＡＭ(Dynamic Random Access Memory)などの揮発性メモリ素子が適用される。
【００２８】
前記操作パネル部と同様に、メモリ部７０は、画像形成装置に備わるか、画像形成装置とインターフェースされる外部機器に備わる。例えば、メモリ部７０は、画像形成装置とインターフェースされる、ＰＣ又はサーバー、コントロール装置（外部設置型コントロール装置又は画像形成装置をコントロールするための外部設置機器）、放送受信装置（ＤＭＢ又は空中波放送受信機などのように画像形成装置に連結される機器）、イメージ撮影装置（デジタルカメラなど）、外部設置メモリ（ＵＳＢメモリ、ＳＤメモリなど）に含まれるメモリ部である。
【００２９】
ＰＣインターフェース部８０は、画像形成装置と外部デバイスとを接続するもので、使用者コンピュータの並列ポートと接続される。ＰＣインターフェース部８０は、外部デバイスと相互通信を行い、外部デバイスから印刷データを受信し、印刷データの印刷情報を外部デバイスに伝送する。
【００３０】
プリンター部１００は、印刷機能を行うときに動作し、制御部９０の制御下で画像読み取り部３０によって読み取られたイメージデータを印刷する作業を行う。
【００３１】
ファクシミリ部１１０は、モデム１１１及びＮＣＵ（Ｎｅｔｗｏｒｋ  Ｃｏｎｔｒｏｌ  Ｕｎｉｔ）１１２を含んで構成される。モデム１１１は、ＮＣＵ１１２を通して通信網１２０に連結された外部デバイスから受信されたファックスデータをデコーディングする。また、モデム１１１は、通信網１２０を通して伝送可能な形態で外部デバイスに伝送するファックスデータをエンコーディングする。
【００３２】
ファクシミリ部１１０は、画像形成装置と一体化されるか、外部設置型として画像形成装置に連結される。例えば、ファクシミリ部１１０は、画像形成装置とインターフェースされる、ＰＣ又はサーバー、コントロール装置（外部設置型コントロール装置や画像形成装置をコントロールするための外部設置機器）、放送受信装置（ＤＭＢ又は空中波放送受信機などのように画像形成装置に連結される機器）、イメージ撮影装置（デジタルカメラ）などに含まれるファクシミリ部である。
【００３３】
ＮＣＵ１１２は、モデム１１１と通信網１２０との間に接続され、ファックスデータの送受信を可能にする。ここで、通信網１２０としては、公衆電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）又は有線／無線通信網が適用される。
【００３４】
駆動部１３０は、ピックアップローラー（図示せず）と第１及び第２移送ローラー２０，４０を駆動するための少なくとも一つのモーターを備えており、制御部９０の制御下でモーターを駆動することで、原稿Ｐを移送させる。
【００３５】
装置に電源が供給されると、制御部９０は、第１メモリ７１に保存されたプログラムによって装置の全般的な動作を制御する。
【００３６】
原稿を読み取る動作において、読み取られるイメージが使用者によって選択されない。すなわち、原稿積載テーブル１０に原稿Ｐを積載するだけで、原稿の両面イメージを自動的に読み取られる。但し、使用者が操作パネル部６０を通して読み取りイメージを選択できるように、読み取りイメージを表示する。図３は、このような例として、両面イメージをディスプレイする画面を示した図である。
【００３７】
図３に示すように、画面６１は、第１イメージセンサー３１によって前面読み取りイメージをディスプレイするための第１表示領域６２と、第２イメージセンサー３２によって後面読み取りイメージをディスプレイするための第２表示領域６３と、第１及び第２表示領域６２，６３のうち何れか一つ又は両方を選択するためのイメージ選択キー６４，６５，６６とを備えている。
【００３８】
使用者によって両面キー６４が選択される場合、読み取られた前面イメージと後面イメージに対する後続プロセスが行われ、使用者によって前面キー６５が選択される場合、読み取られた前面イメージに対する後続プロセスが行われる。使用者によって後面キー６６が選択される場合、読み取られた後面イメージに対する後続プロセスが行われる。ここで、後続プロセスは、ＰＣインターフェース部８０を用いて読み取りイメージデータを使用者コンピュータに保存する動作と、ファクシミリ部１１０を用いて読み取りイメージを外部装置に伝送する動作と、プリンター部１００を用いて読み取りイメージを印刷媒体に複写する動作とを含む。
【００３９】
このように、原稿の両面が自動的に読み取られた上で、使用者にどの面を取り込みデータとして採用するかを選択させるのである。通常、ファクシミリやコピー機等（以下、読み取り機）では、原稿のイメージを取り込む面を使用者が予め判断し、読み取り機の原稿読み取り面の方向を確認して、その方向に原稿の取り込み面を合わせて載置しなければならない。フラットベッド方式の読み取り機の場合、読み取り面がガラス等で形成されているため、使用者が読み取り面を容易に認識して、原稿の方向を合わせやすい。ところが、多量の原稿を纏めて載置するシートフィーダの部材を利用する読み取り機の場合には、使用者が読み取り面を認識し難く、原稿の面を逆にして載置してしまい、無駄な読み取りイメージを生成してしまう上、使用者の手間がかえって増大してしまうことがある。
【００４０】
こうしたミスを避けるために、使用者は原稿の載置の際に慎重に作業を進めねばならず、余計な精神的負担を強いられ、非常に不便である。できれば、どちらの方向に向けて原稿を載置しても、意図する方向のイメージが取り込めるようにしたいと願うであろう。そこで、本実施形態のような技術が一つの解決手段を提供するのである。上記の通り、本実施形態は、自動的に両面イメージを取り込んでおいて、そのイメージを使用者に表示し、使用者が採用する面を選択させるステップを含んでいる。そのため、原稿の載置方向に関わらず、使用者が自由に所望するイメージを選択することができるのである。その結果、使用者は、原稿の載置段階で余計な手間を取られることがなくなり、利便性が向上する。
【００４１】
図４Ａ及び図４Ｂを参考にすると、制御部９０は、原稿積載検出部１１を通して原稿積載テーブル１０に原稿Ｐが積載されたかどうかを判断し（動作２０１）、原稿が積載されたと判断される場合、制御部９０は、積載された原稿をピックアップする前に、原稿を安定的に移送するために一定時間の間待機する（動作２０３）。一定時間は、例えば１〜２秒程度である。
【００４２】
次いで、制御部９０は、駆動部１３０を制御することで、原稿Ｐがピックアップされ、第１及び第２移送ローラー２０，４０の回転によって移送経路１に沿って移送されるようにする。移送される間、第１イメージセンサー３１は、原稿の前面イメージを読み取り、第２イメージセンサー３２は、原稿の後面イメージを読み取る（動作２０５）。制御部９０は、読み取られたイメージデータを受信して第２メモリ７２に一時的に保存した後、これを操作パネル部６０に表示する。このとき、図３に示した画面６０の第１表示領域６２及び第２表示領域６３には、原稿の前面イメージ及び後面イメージをそれぞれ表示する（動作２０７）。また、使用者が所望の読み取りイメージを選択できるように、画面６０には両面キー６４、前面キー６５及び後面キー６６を表示する。
【００４３】
制御部９０は、使用者によってイメージが選択されたかどうかを判断し（動作２０９）、使用者によってイメージが選択されたと判断される場合、両面キー６４によって両面読み取りイメージが選択されたかどうかを判断し（動作２１１）、両面読み取りイメージが選択されたと判断される場合、制御部９０は、画面（図示せず）を通して使用者によって設定された入力命令に応じて、両面イメージを保存、送信及び複写する動作のうち何れか一つの後続処理を行う（動作２１３）。ここで、後続処理は、ＰＣインターフェース部８０を用いて使用者のコンピュータに両面読み取りイメージデータを保存する動作と、ファクシミリ部１１０を用いて外部装置に両面読み取りイメージを伝送する動作と、プリンター部１００を用いて印刷媒体に両面読み取りイメージを複写する動作とを含む。
【００４４】
動作２１１において、両面読み取りイメージが選択されていないと判断される場合、制御部９０は、前面キー６５によって前面イメージが選択されたかどうかを判断し（動作２１５）、前面イメージが選択されたと判断される場合、制御部９０は、使用者によって設定された入力命令によって前面イメージを保存、送信及び複写する動作のうち何れか一つの後続処理を行う（動作２１７）。
【００４５】
動作２１５において、前面イメージが選択されていないと判断される場合、制御部９０は、後面キー６６によって後面イメージが選択されたかどうかを判断し（動作２１９）、後面イメージが選択されたと判断される場合、制御部９０は、使用者によって設定された入力命令によって後面イメージを保存、送信及び複写する動作のうち何れか一つの後続処理を行う（動作２２１）。
【００４６】
動作２１３、２１７、２２１では、イメージを保存、送信及び複写する動作のうち何れか一つを行っているが、これに限定されることなく、使用者の設定によって複数の動作を順次的に又は同時に行うこともできる。
【００４７】
上述した実施形態において、原稿積載テーブルに原稿を積載する場合、原稿を移送させ、自動的に原稿の両面イメージを読み取ってから後続処理を行う一つの読み取りモードが適用される。
【００４８】
他の実施形態において、上述した実施形態の読み取りモードの他にも、既存方式の読み取りモードを含む複数の読み取りモードから所望の読み取りモードを選択することもできる。ここで、既存方式の読み取りモードは、両面読み取りモード、前面読み取りモード、後面読み取りモードを含み、上述した実施形態の読み取りモードは、基本的な読み取りモードという。
【００４９】
本実施形態においては、図５に示すように、操作パネル部６０で提供する画面６１ａの読み取りモード選択領域６７を通して複数の読み取りモードのうち何れか一つを選択することができる。ここで、読み取りモード選択領域６７は、基本的な読み取りキー６７ａ、両面読み取りキー６７ｂ、前面読み取りキー６７ｃ、後面読み取りキー６７ｄを備えている。
【００５０】
以下、本発明の一実施形態に係る方法を図６Ａ及び図６Ｂに基づいて説明する。
【００５１】
制御部９０は、原稿積載検出部１１を通して原稿積載テーブル１０に原稿Ｐが積載されたかどうかを判断し（動作３０１）、原稿が積載されたと判断される場合、制御部９０は、図５に示すように、操作パネル部６０を通して読み取りモードを選択するための画面６１ａを表示する。使用者は、画面６１ａの読み取りモード選択領域６７に表示する基本的な読み取りキー６７ａ、両面読み取りキー６７ｂ、前面読み取りキー６７ｃ、後面読み取りキー６７ｄから所望の読み取り方式を選択することができる。制御部９０は、使用者の読み取りモード選択に対応する読み取りモード選択信号が入力されたかどうかを判断し（動作３０３）、選択信号が入力されていないと判断される場合、一定時間の間待機し（動作３０５）、その後、選択信号が入力されていなくても、イメージを読み取るために動作３０７に進行する。
【００５２】
動作３０３において、読み取りモード選択信号が入力されたと判断される場合、基本的な読み取りキー６７ａによって基本的な読み取りモードが選択されたかどうかを判断し（動作３０７）、基本的な読み取りモードが選択された場合、又は、読み取りモードが選択されずに一定時間が経過した場合、制御部９０は、駆動部１３０を制御することで、移送経路１に沿って原稿Ｐを移送させながら第１及び第２イメージセンサー３１，３２によって原稿の前面イメージ及び後面イメージを読み取り（動作３０９）、図３に示すように、読み取られた前面及び後面イメージを表示する（動作３１１）。
【００５３】
次いで、制御部９０は、使用者によって読み取りイメージが選択されたかどうかを判断し（動作３１３）、読み取りイメージが選択されたと判断される場合、使用者の入力命令によって、選択された読み取りイメージを保存、送信及び複写する動作のうち何れか一つの後続処理を行う（動作３１５）。
【００５４】
動作３０７において、基本的な読み取りモードが選択されていないと判断される場合、制御部９０は、両面読み取りキー６７ｂによって両面読み取りモードが選択されたかどうかを判断し（動作３１７）、両面読み取りモードが選択されたと判断される場合、制御部９０は、原稿を移送させ、第１及び第２イメージセンサー３１，３２を用いて原稿の前面イメージ及び後面イメージを読み取り（動作３１９）、原稿積載テーブルに積載された原稿の両面読み取り動作が完了したかどうかを判断し（動作３２１）、読み取り動作が完了していないと判断される場合、両面読み取り動作を行うために動作３１９に進行する。一方、読み取り動作が完了したと判断される場合、動作３３５に進行する。
【００５５】
動作３１７において、両面読み取りモードが選択されていないと判断される場合、前面読み取りキー６７ｃによって前面読み取りモードが選択されたかどうかを判断し（動作３２３）、前面読み取りモードが選択されたと判断される場合、制御部９０は、原稿を移送させ、第１イメージセンサー３１を用いて原稿の前面イメージを読み取り（動作３２５）、原稿積載テーブルに積載された原稿の前面読み取り動作が完了したかどうかを判断し（動作３２７）、読み取り動作が完了していないと判断される場合、前面読み取り動作を行うために動作３２５に進行する。一方、読み取り動作が完了したと判断される場合、動作３３５に進行する。
【００５６】
動作３２３において、前面読み取りモードが選択されていないと判断される場合、後面読み取りキー６７ｄによって後面読み取りモードが選択されたかどうかを判断し（動作３２９）、後面読み取りモードが選択されたと判断される場合、制御部９０は、原稿を移送させ、第２イメージセンサー３２を用いて原稿の後面イメージを読み取り（動作３３１）、原稿積載テーブルに積載された原稿の後面読み取り動作が完了したかどうかを判断し（動作３３３）、読み取り動作が完了していないと判断される場合、後面読み取り動作を行うために動作３３１に進行する。一方、読み取り動作が完了したと判断される場合、動作３３５に進行する。
【００５７】
動作３２１、３２７、３３３において、読み取り動作が完了したと判断される場合、使用者の入力命令によって、読み取りイメージを保存、送信及び複写する動作のうち何れか一つの後続処理を行う（動作３３５）。
【００５８】
本実施形態は、コンピュータ可読の記録媒体上のコンピュータ可読コード（プログラム）として実現されうる。コンピュータ可読記録媒体は、コンピュータ可読記録媒体及びコンピュータ可読伝送媒体を含む。コンピュータ可読記録媒体は、以後にコンピュータシステムによって読まれるデータを保存可能なデータ保存装置である。コンピュータ可読記録媒体の例は、ＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）、ＣＤ―ＲＯＭ、磁気テープ、磁気記録ディスク、光データ保存装置等を含む。さらに、コンピュータ可読記録媒体は、コンピュータ可読コードが分散方法で保存又は実行されるように、コンピュータシステムに結合されたネットワークを通して分散されうる。コンピュータ可読伝送媒体は、搬送波又は信号（例えば、インターネットを通した有線又は無線データ伝送）を伝送することができる。さらに、本実施形態の機能構成を実現するための機能的なプログラム、コード及びコードセグメントは、上記のアイデアを理解した熟練したプログラマーによって構築されるようになるであろう。
【００５９】
以上、添付図面を参照しながら本発明の好適な実施形態について説明したが、本発明は係る例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【図面の簡単な説明】
【００６０】
【図１】本発明の一実施形態に係る画像形成装置に適用する画像読み取り部を用いて原稿の両面を読み取る動作を説明するための図である。
【図２】本実施形態に係る画像読み取り部を備えた画像形成装置を示したブロック図である。
【図３】一つの読み取りモードを適用する本実施形態に係る両面イメージを読み取った場合、前面イメージと後面イメージを表示し、使用者がイメージを選択できるようにするための画面を示した一例である。
【図４Ａ】一つの読み取りモードを適用する図１に示した実施形態に係る両面イメージを使用者の入力命令に対応するプロセスによって処理する方法を説明するためのフローチャートである。
【図４Ｂ】一つの読み取りモードを適用する図１に示した実施形態に係る両面イメージを使用者の入力命令に対応するプロセスによって処理する方法を説明するためのフローチャートである。
【図５】複数の読み取りモードを適用する本実施形態に係る複数の読み取りモードから所望の読み取りモードを選択するための画面を示した一例である。
【図６Ａ】複数の読み取りモードを適用する図５に示した実施形態に係る読み取りモードによって読み取ったイメージを使用者の入力命令に対応するプロセスによって処理する方法を説明するためのフローチャートである。
【図６Ｂ】複数の読み取りモードを適用する図５に示した実施形態に係る読み取りモードによって読み取ったイメージを使用者の入力命令に対応するプロセスによって処理する方法を説明するためのフローチャートである。
【符号の説明】
【００６１】
１    原稿移送経路
１０    原稿積載テーブル
１１    原稿積載検出部
２０    第１移送ローラー
３１    第１イメージセンサー
３２    第２イメージセンサー
４０    第２移送ローラー
５０    用紙検出センサー
【図１】
0005311542.tif 000002
【図２】
0005311542.tif 000003
【図３】
0005311542.tif 000004
【図４Ａ】
0005311542.tif 000005
【図４Ｂ】
0005311542.tif 000006
【図５】
0005311542.tif 000007
【図６Ａ】
0005311542.tif 000008
【図６Ｂ】
0005311542.tif 000009